(57)【要約】【課題】ヘアーの根元からフワッとカールがかかり自然なボリュームで自然なカールがかかったヘアーを形成する。【解決手段】本発明のフレックスカール形成方法は、パーマ液（第1液）のついたヘアーにヘアーワインディング・ペーパーをあてがい、ヘアーワインディング・ペーパーとの間にヘアーを挟むようにしてカールロッドを当て、カールロッドの周りに巻いて毛元方向へ巻回し；巻回状態のヘアー及びヘアーワインディング・ペーパーからカールロッドを抜き取り、手で巻回状態のヘアーを押さえながらヘアー及びヘアーワインディング・ペーパーを巻回状態に保ち；シングルピンを使って巻回状態を固定し；必要数のヘアー及びヘアーワインディング・ペーパーの巻回体を形成し；パーマに必要な時間経過後にシングルピンを外し、ヘアーの巻回状態を解除し、水洗後還元溶液（第2剤）で処理し、シャンプーし乾燥してフレックスカールを形成する。【選択図】図１
2018175314.tif 000002
【特許請求の範囲】
【請求項１】
フレックスカールを形成する方法に用いるテーパー状円筒形体の中空カールロッドであって、該中空カールロッドは中空のテーパー状の円筒形状を有するカールロッド本体と、ヘアーをカールロッドに巻き巻回状態とする際に操作しカールロッドの周りに巻回状態としたヘアーからカールロッド本体を引抜くためのカールロッド本体の大径部側に連続して設けられた操作部からなり、カールロッド本体はカールロッド本体の他端部から操作部が設けられた一端部に向けて径が大きくなるテーパー面を有することを特徴とする、テーパー状円筒形体の中空カールロッド。
【請求項２】
以下の工程からなる請求項１に記載のフレックスカール用中空カールロッドを用いてフレックスカールを形成する方法。
（１）ヘアーにパーマ液（第1剤）をつけ、パーマ液のついたヘアーにヘアーワインディング・ペーパーをあてがい、ヘアーワインディング・ペーパーとテーパー状円筒形状のカールロッドとの間にヘアーを挟むようにして前記カールロッドを当てる工程１と、
（２）カールロッドの周りにヘアーを巻いて毛元方向へ巻回する工程２と、
（３）巻回状態のヘアー及びヘアーワインディング・ペーパーからカールロッドをカールロッドの大径部にある操作部の側に抜き取る工程３と、
（４）手で巻回状態のヘアーを押さえながらヘアー及びヘアーワインディング・ペーパーを巻回状態に保ち、シングルピンを使って巻回状態を固定する工程４と、
（５）上記工程（１）〜（４）により、必要な数だけヘアー及びヘアーワインディング・ペーパーとからなる巻回体を形成する工程５と、
（６）パーマがかかるのに必要な時間が経過後に固定シングルピンを外し、ヘアー及びヘアーワインディング・ペーパーの巻回状態を解除し、水洗いをした後還元溶液（第2剤：臭素酸ナトリウム等の酸化溶液）で処理し、シャンプーし乾燥することによってフレックスカールを形成する工程６。
【発明の詳細な説明】
【技術分野】
【０００１】
本発明は、ヘアーにフレックスカールを形成する方法及びヘアーにフレックスカールを形成する時に使用するフレックスカール用中空カールロッドに関する。
【背景技術】
【０００２】
従来のパーマでは、中空のパーマ用円筒状カールロッドの周りにヘアーを巻きつけロッドの周りに固定し、その状態でパーマ用薬剤をつけてヘアーにパーマをかけるが、多くの髪型では、パーマ用加熱促進器を使って外部から加温してパーマをかける。パーマをかけた後ロッドをヘアーから外してパーマを完了する。しかしながら、この方法では、巻き方によってはパーマがかかり過ぎてしまい、翌日からのヘアーを希望通りにセットし難くなるという欠点がある。
【先行技術文献】
【特許文献】
【０００３】
【特許文献１】２００９−１１２８０１
【発明の開示】
【発明が解決しようとする課題】
【０００４】
本発明は、強いカールを避け、従来のロッドを使用するパーマよりも柔らかいカールやボリュームを出し、ナチュラルなカールを形成することを目的とし、新発想のフレックスカール方法及び該方法に用いるフレックスカール用中空カールロッドを提供する。
【課題を解決するための手段】
【０００５】
本発明に係るフレックスカール用中空カールロッドは本発明のフレックスカールを形成する方法に用いるテーパー状円筒形体の中空カールロッドであって、該中空カールロッドは中空のテーパー状の円筒形状を有するカールロッド本体と、ヘアーをカールロッドに巻き巻回状態とする際に操作しカールロッドの周りに巻回状態としたヘアーからカールロッド本体を引抜くためのカールロッド本体の大径部側に連続して設けられた操作部からなり、カールロッド本体はカールロッド本体の他端部から操作部が設けられた一端部に向けて径が大きくなるテーパー面を有することを特徴とする。
【０００６】
本発明に係るヘアーにフレックスカールを形成する方法は、以下の工程からなる。
（１）ヘアーにパーマ液（第1剤）をつけ、パーマ液のついたヘアーにヘアーワインディング・ペーパーをあてがい、ヘアーワインディング・ペーパーとテーパー状円筒形状のカールロッドとの間にヘアーを挟むようにして前記カールロッドを当てる工程１と、
（２）カールロッドの周りにヘアーを巻いて毛元方向へ巻回する工程２と、
（３）巻回状態のヘアー及びヘアーワインディング・ペーパーからカールロッドをカールロッドの大径部にある操作部の側に抜き取る工程３と、
（４）手で巻回状態のヘアーを押さえながらヘアー及びヘアーワインディング・ペーパーを巻回状態に保ち、シングルピンを使って巻回状態を固定する工程４と、
（５）上記工程（１）〜（４）により、必要な数だけヘアー及びヘアーワインディング・ペーパーとからなる巻回体を形成する工程５と、
（６）パーマがかかるのに必要な時間が経過後に固定シングルピンを外し、ヘアー及びヘアーワインディング・ペーパーの巻回状態を解除し、水洗いをした後還元溶液（第2剤：臭素酸ナトリウム等の酸化溶液）で処理し、シャンプーし乾燥することによってフレックスカールを形成する工程６。
パーマ液（第1剤）の塗布量は、工程６の水洗い迄の途中の工程で乾燥しない程度の量とすることが好ましい。
【発明の効果】
【０００７】
ヘアーにフレックスカールを形成する本発明の方法によれば、巻回状態のヘアー及びヘアーワインディング・ペーパーからカールロッドを抜き取った状態でカールをつけるので、ヘアーの根元からフワッとカールがかかり自然なボリュームで自然なカールがかかったヘアーが形成され、仕上がりは通常パーマより柔らかな質感で仕上げることができる。
【０００８】
本発明に係るフレックスカール用中空カールロッドは本発明のヘアーにフレックスカール方法に適合するものであり、ヘアーをカールロッドに巻き巻回状態とする際に操作しかつカールロッドの周りに巻回状態としたヘアーからカールロッド本体を引抜くためのカールロッド本体の大径部側に連続して設けられた操作部により、所定のテーパー面としたカールロッド本体を容易に操作部側に引抜くことができるので、本発明のフレックスカールを形成する方法をスムーズに実施することを可能とする。
【図面の簡単な説明】
【０００９】
【図１】本発明のフレックスカールを形成する方法の工程（１）、（２）、（３）を示す模式図である。
【図２】本発明のフレックスカールを形成する方法の工程（４）、（５）を示す模式図である。
【図３】本発明に係るフレックスカール用中空カールロッドの斜視図である。
【図４】本発明に係る大径、中径、小径のフレックスカール用中空カールロッドの斜視図である。
【図５】図４に示す本発明に係る大径、中径、小径のフレックスカール用中空カールロッドを相互に入れ込んだ状態を示す斜視図である。
【発明を実施するための形態】
【００１０】
以下に、本発明の好ましい態様について述べる。
本発明のフレックスカール用中空カールロッドは、図３に示すように中空のテーパー状の円筒形状を有する本体６−１と、ヘアーをカールロッドに巻き巻回状態とする際に操作しカールロッドの周りに巻回状態とした後ヘアーからカールロッド本体を引抜くためのカールロッド本体の大径部側に連続して設けられた操作部６−２とからなり、カールロッド本体６−１はカールロッド本体６−１の他端部から操作部６−２が設けられた一端部に向けて径が大きくなるテーパー面６−３を有する。
【００１１】
図１及び図２は、本発明のフレックスカールを形成する方法の工程を示す。
工程（１）において、ヘアー４にパーマ液をつけ、パーマ液のついたヘアーにヘアーワインディング・ペーパー５をあてがい、ヘアカールロッドとヘアーワインディング・ペーパー５との間にヘアー４を挟むようにしてカールロッド６を当てて、工程（２）においてヘアー４とヘアーワインディング・ペーパー５をカールロッド６の周りに巻いて毛元方向に巻回する。この場合、巻き始めの巻テンションを少し弱めにすることが好ましい。
工程（３）において、巻回状態のヘアー４及びヘアーワインディング・ペーパー５からカールロッド６を抜き取り、工程（４）において手で巻回状態のヘアー４を押さえながらヘアー４及びヘアーワインディング・ペーパー５を巻回状態に保ち、シングルピン７を使って巻回状態を固定する。
工程５においては、上記工程（１）〜（４）によって必要な数だけヘアー４及びヘアーワインディング・ペーパー５からなる巻回体を形成する。
工程６においては、パーマがかけけるのに必要な時間が経過後に固定シングルピン７を外し、ヘアー４及びヘアーワインディング・ペーパー５を巻回状態から解除し、水洗いをした後還元溶液（第2剤：臭素酸ナトリウム等の酸化溶液）で処理し、シャンプーし乾燥することによってフレックスカールを形成する。
【００１２】
得られたフレックスカールは、ヘアーの根元からフワッとカールがかかるので自然なボリュームで自然なカールがかかったヘアーがえられ、仕上がりは通常パーマより柔らかな質感で仕上げることができる。上記方法で得られた「フレックスカール」はこのような状態のカールを指す。従来の長尺のカールロッドは髪の毛をらせん状に巻くためのカールロッドで、一方フレックスカール用カールロッドは表面をテーパーさせることで抜く時に髪の毛が引っ張られない状態でカールロッドを引抜いてカールを付けるもので、テーパー表面はヘアー４及びヘアーワインディング・ペーパー５からなる巻回体を安定して形成するとともに、スムーズに引き抜くことを可能とする程度のテーパー度があれば良い。
【００１３】
図３は、本発明に係るフレックスカール用中空カールロッド６の斜視図である。該中空カールロッド６は中空のテーパー状の円筒形状を有する本体６ａと、ヘアーをカールロッドに巻き巻回状態とする際に操作しカールロッドの周りに巻回状態としたヘアー及びヘアーワインディング・ペーパーからカールロッド本体６ａを引抜くためのカールロッド本体６ａの大径部側に連続して設けられた操作部６ｂからなり、カールロッド本体６ａはカールロッド本体の他端部から操作部６ｂが設けられた一端部に向けて径が大きくなるテーパー面６ｃを有する。
【００１４】
図４は、本発明に係る一組の大径、中径、小径のフレックスカール用中空カールロッド６ａ，６ｂ，６ｃを示す斜視図である。これらのカールロッドを使用することによって大きなカール、中程度のカール、小さなカールを適宜形成することができる。該中空カールロッドは中空のテーパー状の円筒形状を有する本体６ａ１、６ｂ１、６ｃ１と、ヘアーを及びヘアーワインディング・ペーパーを介してカールロッドに巻き巻回状態とする際に操作しカールロッドの周りに巻回状態としたヘアーからカールロッド本体を引抜くためのカールロッド本体６ａ１、６ｂ１、６ｃ１の一端部に連続して設けられた操作部６ａ２、６ｂ２、６ｃ２からなり、カールロッド本体はカールロッド本体の他端部から操作部が設けられた一端部に向けて径が大きくなるテーパー面６ａ３、６ｂ３、６ｃ３を有する。
【００１５】
図５には一組の大径、中径、小径のフレックスカール用中空カールロッド６ａ，６ｂ，６ｃを相互に入れ込んだ状態を示す斜視図である。このようにすることによって、一組の大径、中径、小径のフレックスカール用中空カールロッド６ａ，６ｂ，６ｃがばらけて紛失するのを防止するとともに、使用しないときにはコンパクトに収納することができる。
【００１６】
以下の数値は例示的なものであるが、フレックスロッドの外形を以下のようなものとすることができる。
１）長さ1２〜１４ｃｍ
２）直径１ｃｍ〜３ｃｍ
３）長さ／直径  比率３〜１４
４）テーパー度  大径部−小径部＝1〜２ｍｍ）
【産業上の利用可能性】
【００１７】
本発明に係るヘアーにフレックスカールを形成する方法及び該方法に用いるフレックスカール用中空カールロッドは従来になかったフレックスカールを形成する画期的な技術であり、新たなパーマ技術を提供するものとして産業上利用可能性は大きい。
【符号の説明】
【００１８】
４・・・ヘアー、５・・・ヘアーワインディング・ペーパー、６・・・フレックスカール用中空カールロッド、６−１・・・中空カールロッド本体、６−２・・・操作部、６−３・・・テーパー面、６ａ、６ｂ、６ｃ・・・フレックスカール用中空カールロッド、６ａ１、６ｂ１、６ｃ１・・・フレックスカール用中空カールロッド本体、６ａ２、６ｂ２、６ｃ２・・・カールロッド本体の一端部に連続して設けられた操作部、６ａ３、６ｂ３、６ｃ３・・・カールロッド本体の他端部から操作部が設けられた一端部に向けて径が大きくなるテーパー面、７・・・シングルピン
【図１】
2018175314.tif 000003
【図２】
2018175314.tif 000004
【図３】
2018175314.tif 000005
【図４】
2018175314.tif 000006
【図５】
2018175314.tif 000007